(57)【特許請求の範囲】
【請求項１】
要介助者をベッドから移し替えベッドに戻す作業に適したストレッチャーであって、
要介助者が仰臥し得る大きさを有する吊り下げ可能な受け面部材(10)、該受け面部材(10)を吊り上げ吊り降ろすための吊り下げ部材(20)及び上記受け面部材(10)を上記吊り下げ部材(20)によって吊り下げた状態で移動させ得る少なくとも１つの移動台車(30)から構成され、
上記少なくとも１つの移動台車(30)が、
回転自在な車輪を有し、床面上に移動可能に載置され、ベッドと床面との間の隙間に差し込み得るベース部(31)と、
該ベース部(31)に支持され、少なくとも上先端部が要介助者を載せた上記受け面部材(10)をベッドから吊り上げて浮かすことのできる高さに形成された吊り腕部(32)と、該吊り腕部(32)の上先端部に設けられ、上記吊り下げ部材(20)を吊り上げ吊り降ろす吊り手段と、
を備え、
上記ベース部(31)及び吊り腕部(32)は、側面ほぼＣ字状をなす２本のパイプの上先端部分を相互に直接的に結合し、残部を相互に離間させてその間を連結パイプで相互に連結して一体的に形成され、
上記吊り手段が操作アーム部(35)とロック機構(39,310,311)とから構成され、上記操作アーム部(35)の先端近傍が上記吊り腕部(32)の上先端部に回動可能に取付けられ、上記操作アーム部(35)の先端には上記吊り下げ部材(20)を係止し得る係止フック(37)が形成され、上記操作アーム部(35)の他端側には操作アーム部(35)を押下げ操作するためのグリップ(38)が形成され、上記ロック機構は上記操作アーム部(35)及び吊り腕部(32)のピン穴(39,310)に連結ピン(311) が差し込まれることによって押し下げた状態の上記操作アーム部(35)をロック可能に構成されていることを特徴とするストレッチャー。
【発明の詳細な説明】
【０００１】
【発明の属する技術分野】
本発明はストレッチャーに関し、特に自立歩行の困難の老人や病人等の要介助者をベッドから移しかえベッドに戻す作業を少ない介助者によって簡単かつ安全に行うことのできるようにした構造に関する。
【０００２】
【従来の技術】
近年、医療技術の飛躍的な進歩に伴い、病気や事故による死亡は大幅に減少する一方で、自力歩行の難しい老人や病人等の要介助者が増加する傾向にある。
【０００３】
かかる要介助者を移動させる場合、車椅子やストレッチャーがよく利用されている。病院や介護施設等では介助の人員が揃っているので、３人や４人という多人数の介助者によって要介助者をベッドから車椅子やストレッチャーに、又車椅子やストレッチャーからベッドに移しかえることができる。
【０００４】
他方、家庭内においては介助に携わることのできる人数に制限があるので、要介助者の移しかえが非常に厄介であり、要介助者ばかりでなく、介助者も肉体的及び精神的な苦痛を受ける。さらに、要介助者の体重が重い場合には移しかえている際に誤って転倒するおそれがあり、要介助者ばかりでなく、介助者にとっても非常に危険な状態になるおそれがある。
【０００５】
そこで、車椅子に変形できるようにしたストレッチャー（特開昭５９−１６０４５３号公報、特開平０４−３３６５４号公報、等参照）、椅子部分を着座サポートとシートとに分割し、更にシートを左右に分割してベッド上に座った老人や病人の臀部下方にシートを差し込んた後、着座サポートに固定して老人や病人を移せかえることのできるようにした車椅子（特開２０００−１６６９７４号公報、参照）、背もたれを山型に２つ折れ可能に構成し、背もたれとシートとを真っ直ぐに展開して車椅子フレームに対して横向きにし、ベッドの側部上に載せて老人や病人が乗り移れるようにした車椅子（特開２０００−１６６９７７号公報、参照）、等が提案されている。
【０００６】
ところで、車椅子は要介助者がシートに着座するという構造であるので、自分の身体を支えきれないような要介助者を運ぶ場合には要介助者の身体が車椅子からずり落ちあるいは前方に倒れ込むおそれがある。従って、要介助者を運ぶ場合、寝た姿勢で安定に移動させることのできるストレッチャーの方が好ましいこともある。
【０００７】
【発明が解決しようとする課題】
しかし、従来のストレッチャーでは要介助者をベッドから移しベッドに戻す際に要介助者を抱え上げる少なくとも２人の介助者を必要とし、介助に携わることのできる人数に制限がある場合、例えば家庭内での介護、あるいは病院や介護施設における夜間の介護や介助の場合には採用し難いという問題があった。
【０００８】
本発明は、かかる状況に鑑み、自立歩行の困難の老人や病人等の要介助者をベッドから移しかえベッドに戻す作業を少ない介助者によって簡単かつ安全に行うことのできるようにしたストレッチャーを提供することを課題とする。
【０００９】
【課題を解決するための手段】
そこで、本発明に係るストレッチャーは、要介助者をベッドから移し替えベッドに戻す作業に適したストレッチャーであって、要介助者が仰臥し得る大きさを有する吊り下げ可能な受け面部材、該受け面部材を吊り上げ吊り降ろすための吊り下げ部材及び上記受け面部材を上記吊り下げ部材によって吊り下げた状態で移動させ得る少なくとも１つの移動台車から構成され、上記少なくとも１つの移動台車が、回転自在な車輪を有し、床面上に移動可能に載置され、ベッドと床面との間の隙間に差し込み得るベース部と、該ベース部に支持され、少なくとも上先端部が要介助者を載せた上記受け面部材をベッドから吊り上げて浮かすことのできる高さに形成された吊り腕部と、該吊り腕部の上先端部に設けられ、上記吊り下げ部材を吊り上げ吊り降ろす吊り手段と、を備えていることを特徴とする。
【００１０】
本発明の特徴の１つは要介助者を受け面部材に載せ、受け面部材を吊り下げ部材で少なくとも１つの移動台車の吊り腕部から吊り上げてベッドから浮かせて要介助者を運ぶ一方、受け面部材をベッド上に吊り降ろしてベッドに戻すようにした点にある。
【００１１】
自力歩行の困難な老人や病人等の要介助者をベッドから移動させる場合、ベッド上に仰臥した要介助者を側臥位の姿勢（横向きの姿勢）にしてその背中とベットとの間に受け面部材を差し込んで要介助者を元の仰臥位の姿勢に戻すか、あるいはベッド上に仰臥した要介助者の側方に受け面部材を置き、要介助者の頭部側又は脚側を受け面部材の上に載せた後、脚側又は頭部側を受け面部材の上に載せる。こうして要介助者を受け面部材上に載せると、移動台車のベース部を床面とベッドとの間に差し込み、移動台車の上先端部から吊り下げ部材によって受け面部材を吊り上げると、受け面部材をベッドから浮かすことができるので、後は移動台車のベース部をベッドの下側から引き出すと、要介助者を寝かせた姿勢で安定に運ぶことができる。ベッドに戻す場合には上記と逆の作業を行えばよい。
【００１２】
従って、要介助者をベッドから簡単かつ確実に、しかも安全にストレッチャーに移すことができ、又逆の手順を行うとストレッチャーからからベッドに簡単かつ確実に、しかも安全に戻すことができる。
【００１３】
しかも、ストレッチャーとベッドとの間で要介助者を移す場合に、要介助者の体重のかなりの部分を介助者が自力で支えなければならないという非常に過酷で危険な作業はほとんど必要なく、要介助者に肉体的及び心理的な負担をかけることがなく、さらには介助者も肉体的及び精神的な負担が少ない。
【００１４】
また、移動中は要介助者は仰臥位であるので、車椅子のように、要介助者がずり落ち、あるいは前方に倒れ込む心配はなく、要介助者を安心して運ぶことができる。
【００１５】
本件発明においては移動台車は少なくとも１つ用いればよい。例えば、１つの移動台車で受け面部材の長手方向の前後両側を吊り下げてもよいが、その場合には移動中の安定性が損なわれるおそれがある。そこで、少なくとも２つの上記移動台車によって受け面部材を吊り上げ吊り降ろすようになすのがよい。
【００１６】
また、少なくとも１つの移動台車によって受け面部材の一端側を吊り下げる一方、受け面部材の他端側を載置台車によって、吊り下げられた受け面部材の一端側とほぼ等しい高さに載置するようにしてもよい。さらに、介助者が２人以上の場合には受け面部材の他端側を介助者が手で持ち上げるようにしてもよい。
【００１７】
移動台車は受け面部材を吊り下げ部材によって吊り下げた状態で移動させることができれはどのような形状や構造でもよい。例えば、ベース部及び吊り腕部を、側面ほぼＣ字状をなす２本のパイプの上先端部分を相互に直接的に結合し、残部を相互に離間させてその間を連結パイプで相互に連結して一体的に形成することができる。
【００１８】
受け面部材はベッド上に載置されて要介助者が仰臥し得る大きさを有する吊り下げ可能な部材であればよく、例えば金属板、木板、あるいは合成樹脂板を採用することができる。また、ネット体の両側に挿通支持部を設けて支持パイプを挿通した構造のものも採用でき、かかる受け面部材は本件出願人の特許願（特願２００１−３１７５６号）に係るシャワーベッドの受け体に利用でき、シャワーをより簡単かつ安全に行うことができることとなる。
【００１９】
吊り手段は吊り腕部の上先端部に設けられて吊り下げ部材を吊り上げ吊り降ろす吊りことができればどのような機構や構造でもよい。例えば、吊り手段を操作アーム部とロック機構とから構成し、操作アーム部の先端近傍を吊り腕部の上先端部に回動可能に取付け、操作アーム部の先端にはロープ部材を係止し得る係止部を形成し、操作アーム部の他端側には操作アームを押下げ操作するためのグリップ部を形成し、ロック機構は押し下げた状態の操作アーム部をロック可能に構成されることができる。
【００２０】
また、２つ以上の移動台車、又は移動台車と載置台車を用いる場合、移動中に両者の間隔が変動すると、要介助者を安定に運ぶことが難しくなるおそれがある。そこで、移動台車の間又は移動台車と載置台車の間を着脱可能に連結する連結部材を更に備えるのがよい。
【００２１】
また、吊り下げ部材は受け面部材を吊り下げることができればどのようなものでもよく、ロープ、ワイヤー、チェーン、あるいは両端にフックを有する逆Ｕ字状のアーム等を用いることができる。
【００２２】
さらに、本発明によれば、ベッド上に載置されて要介助者が仰臥し得る大きさを有する吊り下げ可能な受け面部材、該受け面部材を吊り上げ吊り降ろすための吊り下げ部材及び上記受け面部材を上記吊り下げ部材によって吊り下げた状態で移動させ得る少なくとも１つの移動台車から構成され、要介助者をベッドから移し替えベッドに戻す作業に適したストレッチャーにおける上記移動台車であって、回転自在な車輪を有し、床面上に移動可能に載置され、ベッドと床面との間の隙間に差し込み得るベース部と、該ベース部に支持され、少なくもと上先端部が要介助者を載せた上記受け面部材上をベッドから吊り上げて浮かすことのできる高さに形成された吊り腕部と、該吊り腕部の上先端部に設けられ、上記吊り下げ部材を吊り上げ吊り降ろす吊り手段と、を備えていることを特徴とするストレッチャー用の移動台車を提供することができる。
【００２３】
この移動台車においても受け面部材を吊り下げ部材によって吊り下げた状態で移動させることができれはどのような形状や構造でもよい。また、吊り手段は吊り腕部の上先端部に設けられて吊り下げ部材を吊り上げ吊り降ろす吊りことができればどのような機構や構造でもよい。
【００２４】
【発明の実施の形態】
以下、本発明を具体例に基づいて詳細に説明する。図１ないし図８は本発明に係るストレッチャーの好ましい実施形態を示す。本例のストレッチャーは基本的には受けプレート（受け面部材）１０、ロープ（吊り下げ部材）２０、移動台車３０、載置台車４０及び連結バー（連結部材）５０から構成されている。
【００２５】
受けプレート１０は適切な材料、例えば軽量金属材料、例えばアルミニウム系合金を用いて要介助者が仰臥し得る大きさの薄い矩形の平板状に製作され、その一端側の裏面にはロープ２０を層通させるパイプ１１が幅方向に延びて取付けられ、他端側の表面には持ち上げ用のハンドル１２が固定されている。
【００２６】
移動台車３０はベース部３１、吊り腕部３２及び操作アーム部３５から構成されている。ベース部３１及び吊り腕部３２は側面ほぼＣ字状をなす２本の金属製パイプの上先端部分を相互に直接的に結合し、残部を相互に離間させてその間を２本の連結パイプ３３で相互に連結して一体的に形成されている。
【００２７】
ベース部３１には四隅に相当する位置に回転及び旋回可能なキャスター（車輪）３４が取付けられ、床面とベッドとの間に差し込まれ得る高さに設定されている。
【００２８】
吊り腕部３２はその上先端部が要介助者を載せた受けプレート１０をベッドから吊り上げて浮かすことのできる高さに設定されている。この吊り腕部３２の上先端部には操作アーム（吊り手段）３５の先端近傍が水平ピン３６によって回転可能に取付けられ、操作アーム３５の先端にはロープ２０を係止する係止フック３７が取付けられている。
【００２９】
操作アーム３５は吊り腕部３２とほぼ相似の形状をなし、その基部側には操作アーム３２を押し下げ操作するためのグリップ３８か設けられ、グリップ３８近傍にはピン穴（ロック機構、吊り手段）３９が形成されている。他方、吊り腕部３２には操作アーム３５のピン穴３９に相当する位置にピン穴（ロック機構、吊り手段）３１０が形成され、ピン穴３９、３１０を合致させて連結ピン（ロック機構、吊り手段）３１１を差し込むことによって操作アーム３５を押し下げ状態にロックできるようになっている。
【００３０】
載置台車４０には受け部４１が設けられ、受け部４１は公知の機構によって高さを調整可能に構成され、受けプレート１０の他端側を移動台車３０によって吊り下げられた受けプレート１０の一端側とほぼ等しい高さに載置できるようになっている。また、載置台車４０の底面四隅にはキャスター４２が取付けられている。
【００３１】
また、移動台車３０及び載置台車４０には連結バー５０を嵌入し得るフック５１、５２か設けられ、移動台車３０と載置台車４０とは移動台車３０を横向き又は前向きにした状態で相互に連結され得るようになっている。
【００３２】
例えば、寝たきりの老人を本例のストレッチャーを用いて移動させる場合、介助者は図３に示されるように、ベッド上に横たわった老人の側方に受けプレート１０を置く。この時、受けプレート１０のパイプ１１には予めロープ２０を挿通しておく。
【００３３】
こうして受けプレート１０をセットできると、介助者は通常の方法によって老人を受けプレート１０上に載せる。例えば、仰臥位の老人を側臥位の姿勢にしてその背中とベットとの間に受けプレート１０を差し込み、老人を元の仰臥位の姿勢に戻すと、老人を受けプレート１０上に載せることがてきる。また、老人の頭部側を受けプレート１０上に載せた後、足側を受けプレート１０上に載せるか、又は逆に足側を受けプレート１０上に載せた後、頭部側を受けプレート１０上に載せることができ、こうして一人の介助者によって老人を受けプレート１０上に簡単に載せることができる。
【００３４】
次に、移動台車３０及び移動台車４０をベッド側に移動させ、両者を連結バー５０の長さに相当する間隔にするとともに、移動台車３０のベース部３１をベッドと床面との間に差し込み、吊り腕部３１の上先端部を受けプレート１０のパイプ１１上方に位置させた後、操作アーム３５のグリップ３８を上方に押し上げ、先端フック３７にロープ２０の両端部を引っ掛け、操作アーム３５のクリップ３８を押し下げ、操作アーム３５のピン穴３９と吊り腕部３２のピン穴３１０が合致すると、両ピン穴３９と吊り腕部３２のピン穴３１０に連結ピン３１１を差し込み、操作アーム３５を吊り腕部３２にロックすると、受けプレート１０の一端側が吊り上げられてベッドから浮いた状態に保持される。
【００３５】
かかる状態では老人の体重の少なくとも半分は受けプレート１０の一端側に分担されてロープ２０によって支持されているので、１人の介助者によって受けプレート１０の他端側を軽く持ち上げることができる。そこで、介助者は受けプレート１０の他端側のハンドル１２を持って受けプレート１０を持ち上げて載置台車４０の受け部４１に載せ、最後に移動台車３０及び載置台車４０のフック５１、５２に連結バー５０を嵌め込んで相互に連結する。
【００３６】
この状態では移動台車３０と載置台車４０とは一体的に移動するので、移動台車３０のベース部３１をベッド下側から引き出し、前方又は後方に移動させることができる。
【００３７】
ベッドの側方に移動台車を横向きのまま移動させるのに十分なスペースがない場合には受けプレート１０を載置台車４０に載せる前、又は連結バー５０で移動台車３０と載置台車４０を連結する前に、移動台車３０のベース部３１をベッド下側から抜き出しながら移動台車３０を前向きにし、その状態で移動台車３０と載置台車４０を連結バー５０が連結すると、ベッド側方の狭いスペース内を移動台車３０及び載置台車４０を移動させることができる。
【００３８】
老人をベットに戻す場合には上記と逆の作業を行うばよく、上記の説明から容易に理解できるので、その詳細な説明は省略する。
【図面の簡単な説明】
【図１】  本発明に係るストレッチャーの実施形態における使用状態を示す概略斜視図である。
【図２】  上記実施形態における移動台車を示す断面側面図である。
【図３】  上記実施形態における老人の移し方を説明するための図である。
【符号の説明】
１０      受けプレート（受け部材）
２０      ロープ（吊り下げ部材）
３０      移動台車
３１      ベース部
３２      吊り腕部
３４      キャスター（車輪）
゛  ３５      操作アーム（吊り手段）
３７      フック
３８      クリップ
３９      ピン穴（ロック機構、吊り手段）
３１０    ピン穴（ロック機構、吊り手段）
３１１    連結ピン（ロック機構、吊り手段）
４０      載置台車
５０      連結バー（連結部材）
【図１】
0003985213.tif 000002
【図２】
0003985213.tif 000003
【図３】
0003985213.tif 000004